(57)【要約】【課題】上着とズボンの両方を掛けた状態で折畳みが可能であり、且つ持ち運び時に把持し易く、使い勝手の良い折畳み式ハンガーを提供する。【解決手段】肩体部と、上記肩体部の左右にヒンジ部を介して接続された一対の肩先部と、上記肩体部に取り付けられた把持部と、上記肩体部の下方に配置されたズボン掛け部とを備え、上記ズボン掛け部には、上記ヒンジ部と連動して動作しうる一対のズボン掛けヒンジ部が設けられ、上記ヒンジ部と上記ズボン掛けヒンジ部を介して上記肩先部と上記ズボン掛け部が連動して折畳まれる構成とする。【選択図】図１
0003150926.tif 000002
【実用新案登録請求の範囲】
【請求項１】
折畳み可能なハンガーであって、
肩体部と、上記肩体部の左右にヒンジ部を介して接続された一対の肩先部と、
上記肩体部に取り付けられた把持部と、上記肩体部の下方に配置されたズボン掛け部とを備え、
上記ズボン掛け部には、上記ヒンジ部と連動して動作しうる一対のズボン掛けヒンジ部が設けられ、
上記ヒンジ部と上記ズボン掛けヒンジ部を介して上記肩先部と上記ズボン掛け部が連動して折畳まれることを特徴とする折畳み式ハンガー。
【請求項２】
上記肩体部は略二等辺三角形の枠体に形成され、
上記肩先部は、上記肩体部の左右の底角部に配設された上記ヒンジ部を介して上記肩体部に接続され、
上記ズボン掛け部は、上記肩体部から所定寸法離間すると共に上記肩体部の底辺部に沿って配置され、
上記ズボン掛け部の両端部は上記肩先部に接続されると共に、上記ズボン掛けヒンジ部は上記肩体部のヒンジ部の直下位置に設けられていることを特徴とする請求項１記載の折畳み式ハンガー。
【請求項３】
上記把持部は、上記肩体部の頂部において、前身方向に回動可能に取り付けられていることを特徴とする請求項２記載の折畳み式ハンガー。
【請求項４】
上記把持部は下方に向って膨出する略Ｄ字形に形成されると共に、一側部に上記把持部を開閉可能とする回動部材を有することを特徴とする請求項３記載の折畳み式ハンガー。
【請求項５】
上記回動部材は略Ｌ字形に形成され、
一端部が上記把持部の下端部に回動可能に軸承されると共に、他端部には、上記把持部の上辺部に設けられた係合凹部に係合しうる係合突起部を備えることを特徴とする請求項４記載の折畳み式ハンガー。
【考案の詳細な説明】
【技術分野】
【０００１】
本考案は、衣服類を掛けた状態で鞄等に収納して持ち運び可能なハンガーであって、特に衣服類を掛けた状態で折畳みが可能な折畳み式のハンガーに関する。
【背景技術】
【０００２】
旅行等において衣服等を持ち運ぶ際、衣服類をハンガーに掛けた状態でスーツケース等に収納することが多く、これに対応する多種多様なハンガーが流通している。
しかしながら、ハンガーに衣服類を掛けたまま、鞄等に収納した場合、ハンガー自体が嵩張るため、収納可能な衣服類が限られると共に、荷物が大きくなるという不具合を有していた。
上記不具合を解決するため、図５に示すように、肩体部７１にヒンジ部７２を介して接続された肩先部７３と、フック部７４とを有し、上記ヒンジ部７２を介して上記肩先部７３を折畳み可能な折畳み式ハンガー７０が提案されている（特許文献１）。
図５に示すように、上記特許文献１に係る折畳み式ハンガー７０は、略二等辺三角形の枠体に形成された肩体部７１の左右両側に、ヒンジ部７２を介して前身方向に回動しうる肩先部７３を備えている。
また、上記フック部７４は、上記肩体部７１の頂部７５において、上記肩体部７１の前身方向に回動可能に軸承されている。
従って、図６に示すように衣服７６を上記折畳み式ハンガー７０に掛けた状態で上記肩先部７３を、上記ヒンジ部７２を介して前身方向に回動させると、衣服の袖部７７も上記肩先部７３と共に折畳まれる。
従って、衣服７６の型を崩すことなく、折畳んだ状態で鞄に収納することが可能であるため、小さな鞄でも無理なく収納することができる。
更に、上記フック部７４を前身方向に１８０度回動させ、上記肩体部７１の枠体内に配置することによって、鞄に収納した場合に上記フック部７４が邪魔にならず、更に容易に収納することが可能となる。
【０００３】
しかしながら、上記特許文献に係る折畳み式ハンガー７０にズボンを掛ける場合は、図７に示すように別途ズボン掛け用の棒部材７８を上記肩先部７３に設けられたズボン掛け取り付け部７９に係合させて取り付ける必要がある。
上記棒部材７８は折り曲げができないことから、ズボンを掛けた状態においては、上記折畳み式ハンガー７０の肩先部７３を折畳むことができないことから、ズボンを掛けた状態で、鞄等に衣服類を収納することができないという不具合を有していた。
また、上記フック部７４は略Ｃ字形状に形成されていることから、上記折畳み式ハンガー７０を手で把持して持ち運ぶ場合に、上記フック部７４を把持似難いという別途の不具合をも有していた。
【先行技術文献】
【特許文献】
【０００４】
【特許文献１】実登３１３２１８２号
【考案の概要】
【考案が解決しようとする課題】
【０００５】
本考案の課題は、上記不具合を解決し、上着とズボンの両方を掛けた状態で折畳みが可能であり、且つ持ち運び時に把持し易く、使い勝手の良い折畳み式ハンガーを提供することにある。
【課題を解決するための手段】
【０００６】
上記課題を解決するために、請求項１の考案にかかる折畳み式ハンガーは、肩体部と、上記肩体部の左右にヒンジ部を介して接続された一対の肩先部と、
上記肩体部に取り付けられた把持部と、上記肩体部の下方に配置されたズボン掛け部とを備え、上記ズボン掛け部には、上記ヒンジ部と連動して動作しうる一対のズボン掛けヒンジ部が設けられ、上記ヒンジ部と上記ズボン掛けヒンジ部を介して上記肩先部と上記ズボン掛け部が連動して折畳まれることを特徴とする。
【０００７】
従って、上記ズボン掛け部にズボンを掛けた状態で、上記ズボン掛けヒンジ部を介して上記肩先部と共に折畳みが可能となることから、上着とズボンの両方を掛けた状態であっても、コンパクトに折畳んで収納することが可能となる。
【０００８】
また、請求項２の考案に係る折畳み式ハンガーは、上記肩体部は略二等辺三角形の枠体に形成され、上記肩先部は、上記肩体部の左右の底角部に配設された上記ヒンジ部を介して上記肩体部に接続され、上記ズボン掛け部は、上記肩体部から所定寸法離間すると共に上記肩体部の底辺部に沿って配置され、上記ズボン掛け部の両端部は上記肩先部に接続されると共に、上記ズボン掛けヒンジ部は上記肩体部のヒンジ部の直下位置に設けられていることを特徴とする。
【０００９】
従って、上記肩先部を上記ヒンジ部を介して前身方向に回動させ、上記肩体部に重ね合わせることによって、上記肩体部と同一の大きさに折畳むことが可能となる。
【００１０】
また、請求項３の考案に係る折畳み式ハンガーは、上記把持部は、上記肩体部の頂部において、前身方向に回動可能に取り付けられていることを特徴とする。
従って、上記把持部を前身方向に回動させ、上記肩体部の枠内に配置することによって、上記把持部を折畳むことが可能となる。
【００１１】
また、請求項４の考案に係る折畳み式ハンガーは、上記把持部は下方に向って膨出する略Ｄ字形に形成されると共に、一側部に上記把持部を開閉可能とする回動部材を有することを特徴とする。
また、請求項５の考案に係る折畳み式ハンガーは、上記回動部材は略Ｌ字形に形成され、一端部が上記把持部の下端部に回動可能に軸承されると共に、他端部には、上記把持部の上辺部に設けられた係合凹部に係合しうる係合突起部を備えることを特徴とする。
【００１２】
従って、手で把持する場合には、上記回動部材を上記把持部に係合させることで把持し易く、上記回動部材を回動させて上記把持部を開放することによって、クローゼット等のパイプ部に容易に掛けることが可能となる。
【考案の効果】
【００１３】
請求項１及び２の考案にあっては、肩先部がヒンジ部を介して折畳み可能であると共に、ズボン掛け部がズボン掛けヒンジ部を介して、上記肩先部と連動して折畳まれる。また、上記肩体部には手で把持するための把持部が取り付けられていることから、上着とズボンの両方を掛けた状態で折畳みが可能であり、且つ持ち運び時に把持し易く、使い勝手の良い折畳み式ハンガーを提供することが可能となる。
特に請求項２の考案にあっては、上記ズボン掛けヒンジ部が上記肩体部のヒンジ部の直下位置に設けられていることから、折畳んだ状態の外観品質が良いと共に、衣服類が型崩れし難い。
【００１４】
また、請求項３の考案にあっては、上記把持部は、上記肩体部の頂部において、前身方向に回動可能に取り付けられていることから、上記把持部を折畳むことで、より小さく折畳むことが可能となり、鞄等への収納が容易になる。
【００１５】
また、請求項４の考案にあっては、上記把持部は下方に向って膨出する略Ｄ字形に形成されると共に、一側部に上記把持部を開閉可能とする回動部材を有する。
また、請求項５の考案にあっては、上記回動部材は略Ｌ字形に形成され、一端部が上記把持部の下端部に回動可能に軸承されると共に、他端部には、上記把持部の上辺部に設けられた係合凹部に係合しうる係合突起部を備えることから、
持ち運び字は上記把持部が下方に向って膨出する略Ｄ字形状であるため、手で把持し易く、クローゼット等のパイプに掛けて収納する場合は、上記回動部材を回動させて、上記把持部を開放することによって、パイプに容易にかけることが可能となるため、持ち運び時及び収納時のいずれにおいても使い易い折畳み式ハンガーを提供することが可能となる。
【図面の簡単な説明】
【００１６】
【図１】本考案の一実施の形態を示し、実施の形態において、ヒンジ部とズボン掛けヒンジ部を開いた状態を示す正面図である。
【図２】本考案の一実施の形態を示し、実施の形態において、ヒンジ部とズボン掛けヒンジ部及び把持部を折り畳んだ状態を示す正面図である。
【図３】本考案の一実施の形態を示し、実施の形態において、把持部の回動部材を閉止した状態の把持部の拡大正面図である。
【図４】本考案の一実施の形態を示し、実施の形態において、把持部の回動部材を開放した状態の把持部の拡大正面図である。
【図５】従来の折畳みハンガーにおいてヒンジ部を開いた状態を示す正面図である。
【図６】従来の折畳みハンガーにおいて、衣類を掛けた状態でヒンジ部折畳んだ状態を示す正面図である。
【図７】従来の折畳みハンガーにおいて、ズボン掛けようの棒部材を取り付けた状態を示す正面図である。
【考案を実施するための形態】
【００１７】
以下図面を用いて本製品の実施の形態について説明する。
図１に示すように、本実施例に係る折畳み式ハンガー１０は、肩体部１１と、上記肩体部１１の左右にヒンジ部１２を介して接続された一対の肩先部１３と、
上記肩体部１１に取り付けられた把持部１４と、上記肩体部１１の下方に配置されたズボン掛け部１５とを備え、上記ズボン掛け部１５には、上記ヒンジ部１２と連動して動作しうる一対のズボン掛けヒンジ部１６が設けられ、上記ヒンジ部１２と上記ズボン掛けヒンジ部１６を介して上記肩先部１３と上記ズボン掛け部１５が連動して折畳まれるように形成されている。
また、上記肩体部１１は略二等辺三角形の枠体１７に形成され、上記肩先部１３は、上記肩体部１１の左右の底角部１８に配設された上記ヒンジ部１２を介して上記肩体部１１に接続され、上記ズボン掛け部１５は、上記肩体部１１から所定寸法離間すると共に上記肩体部１１の底辺部１９に沿って配置され、上記ズボン掛け部１５の両端部２０は上記肩先部１３に接続されると共に、上記ズボン掛けヒンジ部１６は上記肩体部１１のヒンジ部１２の直下位置に設けられている。
また、図１に示すように、上記把持部１４は、上記肩体部１１の頂部２１において、前身方向に回動可能に取り付けられている。
また、上記把持部１４は下方に向って膨出する略Ｄ字形に形成されると共に、一側部２２に上記把持部１４を開閉可能とする回動部材２３を有している。
また、上記回動部材２３は略Ｌ字形に形成され、一端部２４が上記把持部１４の下端部２５に回動可能に軸承されると共に、他端部２６には、上記把持部１４の上辺部２７に設けられた係合凹部２８に係合しうる係合突起部２９を備えている。
【実施例】
【００１８】
上記実施例の構成について、図面を用いて説明する。
図１は、本実施例に係る折畳みハンガー１０の正面図である。
図１において、肩体部１１は全体略二等辺三角形の枠体であり、上記肩先部１３は略１／４円弧状に形成され、外周部３０には周方向にそって所定間隔離間して配置された複数の滑り止め用突部４２が配設されている。
また、上記ズボン掛け部１５は、棒部材３１と略Ｊ字形の接続部材３２とから形成され、上記略Ｊ字形の接続部材３２の一端部３３は、上記棒部材３１両端部にズボン掛けヒンジ部を介して接続されると共に、上記接続部材３２の他端部３４は上記肩先部１３の下端部に接続されている。
また、図１に示すように、上記把持部１４の下端部２５には略直肩体形の肩体接続部３５が延設され、上記肩体接続部３５は、上記肩体部１１の頂部２１おいて、軸３６によって上記肩体部１１に回動可能に軸承されている。
【００１９】
また、図３は本実施例に係る折畳みハンガー１０の把持部１４の拡大正面図である。
図３に示すように、上記把持部１４の上辺部２７の一端部４０には、上記回動部材２３が嵌合しうる溝部３７が形成され、上記溝部の先端部３８には、上記回動部材２３の他端部２６に設けられた係合突起部２９が係合しうる係合凹部２８が形成されている。
また、上記回動部材２３の一端部３４は、軸３９によって図３中の矢印Ａの方向に回動しうるように、上記把持部１４の下端部２５に軸承されている。
【００２０】
上記実施例の作用について説明する。
図２に示すように、上記肩体部１１に上着（図示せず）を掛けると共に、上記ズボン掛け部１５にズボンの足筒部（図示せず）を掛けた状態で、上記ヒンジ部１２と上記ズボン掛けヒンジ部１６を前身方向に回動させて折畳む。
この際、上記肩先部１３が上記上着の肩口に挿入された状態のまま、折畳まれることから、折畳んだ状態でも上着が型崩れすることが無い。
また、上記ズボン掛け部１５は、上記肩先部１３と連動して折畳まれることから、上着とズボンの両方を掛けた状態であっても折畳み操作が可能となる。
また、図２に示すように、上記把持部１４を前身方向に回動させて、上記肩体部１１の枠体１７内に折畳むことによって、より全体が小さくなり、小型の鞄等にも収納し易くなる。
更に、図１に示すように把持部１４が下方に向って膨出する略Ｄ字形に形成されているため、ハンガーに衣類を掛けた状態で、持ち運ぶ場合に把持し易い。
【００２１】
また、図４に示すように、上記把持部１４の上辺部２７の一端部４０近傍を図中矢印Ｂの方向に指等で押すことによって、上記係合突起部２９が係合凹部２８から外れ、上記回動部材２３が図４中の矢印Ａの方向に回動し、開放部４１が形成される。
従って、上記開放部４１を介して、クローゼット等のパイプ部（図示せず）に容易に上記折畳みハンガー式１０を掛止することができる。
【産業上の利用可能性】
【００２２】
本考案は、衣服類を掛けた状態で鞄等に収納して持ち運び可能なハンガーであって、特に衣服類を掛けた状態で折畳みが可能な折畳み式のハンガーに適用可能である。
【符号の説明】
【００２３】
１０  折畳み式ハンガー
１１  肩体部
１２  ヒンジ部
１３  肩先部
１４  把持部
１５  ズボン掛け部
１６  ズボン掛けヒンジ部
１７  肩体部の枠体  
１８  肩体部の底角部
１９  肩体部の底辺部
２０  ズボン掛け部の端部
２１  肩体部の頂部
２２  把持部の一側部
２３  回動部材  
２４  回動部材の一端部
２５  把持部の下端部
２６  回動部材の他端部
２７  把持部の上辺部
２８  係合凹部
２９  回動部材の係合突起部
３０  肩先部の外周部
３１  ズボン掛け部の棒部材
３２  ズボン掛け部の接続部材
３３  接続部材の一端部
３４  接続部材の他端部
３５  肩体接続部
３６  把持部の軸
３７  溝部
３８  溝部の先端部
３９  回動部材の軸
４０  把持部の上辺部の一端部
４１  把持部の開放部
４２  滑り止め用突起部
７０  折畳みハンガー
７１  肩体部
７２  ヒンジ部
７３  肩先部
７４  フック部
７５  肩先部の頂部
７６  衣服
７７  袖部
７８  ズボン掛け用棒部材
７９  ズボン掛け取り付け部
【図１】
0003150926.tif 000003
【図２】
0003150926.tif 000004
【図３】
0003150926.tif 000005
【図４】
0003150926.tif 000006
【図５】
0003150926.tif 000007
【図６】
0003150926.tif 000008
【図７】
0003150926.tif 000009